【事件の表示】
　平成　９年特許願第２９８９９３号「パチンコ機」拒絶査定不服審判事件〔平成１１年５月１８日出願公開、特開平１１−１２８４９４〕について、次のとおり審決する。
【結　論】
　本件審判の請求は、成り立たない。
【理　由】
１．手続の経緯
　本願は平成９年１０月３０日を出願日とする特許出願であって、平成１７年６月７日付けで拒絶理由が通知され、その指定期間内である同年８月８日に意見書及び手続補正書が提出され、同年１０月１７日付けで最後の拒絶理由が通知され、その指定期間内である同年１２月２６日に意見書及び手続補正書が提出され、平成１８年６月２日付けで拒絶査定がなされ、これに対し、同年７月６日に拒絶査定不服審判が請求されるとともに、同年８月４日付けで手続補正がなされたものである。
　なお、当審において、平成２０年６月１８日付けで審査官による前置報告書の内容を添付して審尋を行ったが、請求人からの回答書提出はなかった。
　
２．平成１８年８月４日付けの手続補正についての補正却下の決定
［補正却下の決定の結論］
　　平成１８年８月４日付けの手続補正を却下する。
　
［理由］
（１）平成１８年８月４日付けの手続補正（以下「本件補正」という。）における特許請求の範囲の記載
【請求項１】　遊技内容を制御するマスターユニットとしての遊技制御ユニットと、遊技制御ユニットからの指示により賞球に相当する球を払い出すスレーブユニットとしての払出ユニットとが設けられ、遊技制御ユニットが入賞センサと遊技制御回路基板とを備え、
入賞センサが遊技盤に設けられた複数の全部の入賞口のそれぞれに対応して１個ずつ設けられるかまたは遊技盤に設けられた全部の入賞口を設定賞球払出数が同じである系列群に分けられた複数の入賞口毎に１個ずつ設けられるかまたは遊技盤に設けられた始動口や大入賞口のそれぞれに対応して１個ずつ設けられかつ始動口以外および大入賞口以外で遊技盤に設けられた全部の入賞口を設定賞球払出数が同じである系列群に分けられた複数の入賞口毎に１個ずつ設けられ、
１つの入賞口への１つの入賞に対する
するごとに
１つの入賞口への１つの入賞に対する入賞センサからの１つの検出信号に対応する１つの
【請求項２】　遊技内容を制御するマスターユニットとしての遊技制御ユニットと、遊技制御ユニットからの指示により賞球に相当する球を払い出すスレーブユニットとしての払出ユニットと、遊技制御ユニットと無関係に単独で動作する独立ユニットとしてのプリペイドカードユニットとが設けられ、遊技制御ユニットが入賞センサと遊技制御回路基板とを備え、
入賞センサが遊技盤に設けられた複数の全部の入賞口のそれぞれに対応して１個ずつ設けられるかまたは遊技盤に設けられた全部の入賞口を設定賞球払出数が同じである系列群に分けられた複数の入賞口毎に１個ずつ設けられるかまたは遊技盤に設けられた始動口や大入賞口のそれぞれに対応して１個ずつ設けられかつ始動口以外および大入賞口以外で遊技盤に設けられた全部の入賞口を設定賞球払出数が同じである系列群に分けられた複数の入賞口毎に１個ずつ設けられ、
１つの入賞口への１つの入賞に対する
するごとに
１つの入賞口への１つの入賞に対する入賞センサからの１つの検出信号に対応する１つの
【請求項３】　払出制御回路基板は遊技制御回路基板から転送された賞球払出指令をカウント記憶し、カウント記憶が存在すれば、払出制御回路基板はその存在するカウント記憶に応じて払出機構部を作動することを特徴とする請求項１または請求項２記載のパチンコ機。
【請求項４】　スレーブユニットとして、払出ユニットの他に、遊技の進行状況に応じた情報を可変表示する表示ユニット、遊技者の操作に応じた遊技球を遊技盤の遊技領域に発射する発射ユニット、遊技の進行状況に応じた楽曲や音声等の音を発生する音声ユニットのうちの１つ又は複数又は全部を備えたことを特徴とする請求項１乃至請求項３の何れか１つに記載のパチンコ機。
（下線部は補正によって変更された箇所）
　
（２）補正の内容
　本件補正は、本件補正前の請求項１、２に記載した発明を特定するために必要な事項である「入賞センサ」について、
「遊技盤に設けられた複数の全部の入賞口のそれぞれに対応して１個ずつ設けられるかまたは遊技盤に設けられた全部の入賞口を設定賞球払出数が同じである系列群に分けられた複数の入賞口毎に１個ずつ設けられるかまたは遊技盤に設けられた始動口や大入賞口のそれぞれに対応して１個ずつ設けられかつ始動口以外および大入賞口以外で遊技盤に設けられた全部の入賞口を設定賞球払出数が同じである系列群に分けられた複数の入賞口毎に１個ずつ設けられ」るものであることを限定し、
　同じく、「入賞口に入賞した入賞球を検出した電気信号」について、
「１つの入賞口への１つの入賞に対する電気信号」と限定し、
　同じく、「出力し」を「出力するごとに」と限定し、
　同じく、「入賞センサからの検出信号を受けた検出結果」について、
「１つの入賞口への１つの入賞に対する入賞センサからの１つの検出信号に対応する１つの検出結果」と限定したものであって、
　平成１８年法律第５５号による改正前の特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（上記改正前の特許法第１７条の２第５項において準用する同法第１２６条第５項の規定に適合するか）について以下に検討する。
　
（３）引用文献
　原査定の拒絶の理由に引用された特開平５−１１５６１２号公報（以下「引用文献Ａ」という。）には、図面とともに、
【００１６】なお、この実施例では、入賞球分離検出装置１８０として集合樋１５９で集合された入賞球の流下経路に臨むストッパ１８２とそれを駆動するソレノイド（以下、セーフソレノイドと称する）１８３とからなり検出器（セーフセンサと称する）１８１で入賞球を１つ検出する毎にストッパ１８２をソレノイド１８３で駆動して入賞球を１つ流下させるように構成した電気式のものを用いているが、先端にストッパを、また後端に錘を有するシーソー式の球鞘とマイクロスイッチとから構成された機械式のものを用い、入賞球数は排出制御装置６００内に電気的に記憶させるようにしても良い。
【００２３】図４には、パチンコ遊技機１００の制御系の一実施例が示されている。この制御系は大きく分けると、主としてパチンコ遊技機１００の遊技盤に関する制御を司る遊技盤制御装置４００と、カードリーダや操作パネル１２１等の制御を司る玉貸し制御装置５００と、上記球排出装置１７０の制御を司る排出制御装置６００とにより構成されている。
【００２４】上記制御装置のうち遊技盤制御装置４００は、パチンコ遊技機の遊技盤１０２に設けられている各種入賞球検出器から検出信号を受けて役物の駆動信号を形成したり、パチンコ遊技機の裏機構盤に設けられている入賞球分離検出装置１８０内の検出器（セーフセンサ）１８１からの信号を受けて入賞球分離用のセーフソレノイド１８２を作動させたり、スピーカ１９０に対する駆動信号を形成する。・・・
【００２５】排出制御装置６００は、上記玉貸し制御装置５００または遊技盤制御装置４００からの排出指令信号に基づいて上記球排出装置１７０内の２条の案内樋７１０の途中に設けられた一対のストッパ７４５を作動させる排出ソレノイド７４１ａ，７４１ｂを励磁して排出を開始し、・・・
【００２８】図５には上記遊技盤制御装置４００の構成例が示されている。すなわち、この実施例の遊技盤制御装置４００は、排出制御装置６００との間の信号の送受信を行なう光通信手段４１０と、遊技盤１０２の賞球別入賞検出器からの検出信号を計数し保持する２つの入賞記憶手段４１１，４１２と、各入賞記憶手段４１１，４１２に対応した賞球数を記憶する賞球数記憶手段４３０と、上記入賞記憶手段４１１，４１２の記憶内容に基づいて排出すべき賞品球数を決定する賞球数制御手段４２０と、・・・とにより構成されている。
【００３０】一方、上記賞球数制御手段４２０は、光通信手段４１０から信号により排出制御装置６００から賞球数データの要求があったことを知ると、上記入賞記憶手段４１１，４１２の記憶内容に基づいて賞球数記憶手段４３０から排出すべき賞品球数を読み出して決定し、決定された賞球数データを光通信手段４１０に渡して排出制御装置６００に対し賞球数データを送信させる。これとともに、賞球数制御手段４２０は、賞球数データを一回送信すると入賞記憶手段４１１または４１２の記憶内容を「１」だけ減らす機能を備えている。
【００３１】図６には上記遊技盤制御装置４００を汎用のＩＣを使って構成する場合の実施例が示されている。すなわち、遊技盤制御装置４００はマイクロプロセッサＣＰＵと、読出し専用メモリＲＯＭと、随時読出し書込み可能なメモリＲＡＭと、シリアル通信用のシリアルインタフェースＳＩＦと、ゲートアレイからなる入出力バッファＢＦＦと、・・・とから構成される。
【００４５】次に、上述した遊技盤制御装置４００によって行なわれる遊技盤全体の制御手順の一例を図１１を参照して詳細に説明する。・・・
【００４９】図１２には、上記各種処理のうち賞球処理の制御手順の一例が示されている。この賞球処理では、先ずステップＳ８０１，Ｓ８０３で遊技盤１０２に設けられている２つの賞球別入賞検出器４９０（以下、賞球判別ＳＷ１，ＳＷ２と記す）がそれぞれオンされたか判定する。この実施例では、賞球判別ＳＷ１は１つの入賞球に対して７個の賞品球を与える入賞口に設けられ、賞球判別ＳＷ２は１つの入賞球に対して１０個の賞品球を与える入賞口に設けられているものとする。上記ステップＳ８０１またはＳ８０３で賞球判別ＳＷ１またはＳＷ２がオンされたと判定すると、ステップＳ８０５またはＳ８０７へ移行して７個賞球の入賞記憶または１０個賞球の入賞記憶をそれぞれ「１」だけ増加させる。それから、ステップＳ８０９へ進んで、シリアルインタフェースＳＩＦ内のフラグを調べて、排出制御装置６００から賞球数データの要求が入っているか判定し、データの要求がなければ賞球処理を終了する。
【００５０】一方、ステップＳ８０９で“Ｙｅｓ”すなわち賞球数データの要求があると判定すると、ステップＳ８１１へ移行して上記ステップＳ８０５で加算される７個賞球の入賞記憶が「０」か否か調べ、「１」以上ならステップＳ８１３で送信バッファに賞球数データとして「７個排出」を設定し、７個賞球フラグを“１”にセットしてからステップＳ８２５へ移行して上記送信バッファに設定された賞球数データをシリアルインタフェースＳＩＦ内のレジスタに書き込んで終了する。また、上記ステップＳ８１１で７個賞球の入賞記憶が「０」と判定すると、ステップＳ８１３へ進み、上記ステップＳ８０７で加算される１０個賞球の入賞記憶が「０」か否か調べる。そして、「１」以上ならステップＳ８２１で送信バッファに賞球数データとして「１０個排出」を設定し、１０個賞球フラグを“１”にセットして上記１０個賞球の入賞記憶を「１」だけ減算してからステップＳ８２５へ移行して上記送信バッファに設定された賞球数データをシリアルインタフェースＳＩＦ内のレジスタに書き込んで終了する。
【００５１】さらに、上記ステップＳ８１１，Ｓ８１５のいずれの判定でも“Ｎｏ”のときはステップＳ８１５で送信バッファに賞球数データとして「１５個排出」を設定してからステップＳステップＳ８２５へ移行して上記送信バッファに設定された賞球数データをシリアルインタフェースＳＩＦ内のレジスタに書き込んで終了する。・・・
【０１７６】さらに、上記実施例では、入賞球分離検出装置１８０内のセーフセンサ１８１の検出信号を排出制御装置６００に入力して、排出制御装置６００が入賞球を検出すると遊技盤制御装置４００に対して賞球数データの要求を行なって受信した賞球数データに基づいて賞品球の排出を行なうようにしているが、この発明はそれに限定されず、例えばセーフセンサ１８１の検出信号を遊技盤制御装置４００に入力して、遊技盤制御装置４００が入賞球を検出すると排出制御装置６００に対して賞球数データを送信し、賞品球の排出を行なわせるようにすることも可能である。つまり、信号の送信方向を遊技盤制御装置４００から排出制御装置６００に対する一方向のみとするようにしてもよい。
との記載が認められ、
　摘記した上記の記載や図面等によれば、引用文献Ａには、
「賞球判別ＳＷ１、賞球判別ＳＷ２及びセーフセンサ１８１と、遊技盤全体の制御を行う遊技盤制御装置４００とを備え、
前記賞球判別ＳＷ１は１つの入賞球に対して７個の賞品球を与える入賞口に設けられ、前記賞球判別ＳＷ２は１つの入賞球に対して１０個の賞品球を与える入賞口に設けられ、前記セーフセンサ１８１は集合樋１５９で集合された入賞球の流下経路に設けられ、
前記遊技盤制御装置４００からの排出指令信号に基づいて賞品球の排出を行なう排出制御装置６００と球排出装置１７０とを備え、
前記賞球判別ＳＷ１または前記賞球判別ＳＷ２がオンされたと判定すると、前記遊技盤制御装置４００の入賞記憶手段４１１または４１２の入賞記憶をそれぞれ「１」だけ増加させ、
前記セーフセンサ１８１の検出信号が入力されると前記入賞記憶手段４１１または４１２の記憶内容に基づいて、前記遊技盤制御装置４００は賞球数データを前記排出制御装置６００に送信し、
前記賞球数データの送信は、前記遊技盤制御装置４００のシリアル通信用のシリアルインタフェースＳＩＦを介して行い、
排出制御装置６００は遊技盤制御装置４００からの排出指令信号に基づいて前記球排出装置１７０の排出ソレノイド７４１ａ，７４１ｂを励磁して賞品球の排出を行うパチンコ遊技機１００。」
の発明（以下「引用発明」という。）が開示されていると認めることができる。
　
（４）対比
　そこで、本願補正発明と引用発明とを比較すると、
引用発明の「賞球判別ＳＷ１、賞球判別ＳＷ２及びセーフセンサ１８１」は、本願補正発明の「入賞センサ」に相当し、以下同様に、
「遊技盤制御装置４００」は「遊技制御ユニット」に、
「排出制御装置６００」は「払出制御回路基板」に、
「球排出装置１７０」は「払出機構部」に、
「入賞記憶」は「カウント記憶」に、
「賞球数データ」は「賞球払出指示」に、
「送信し」は「転送し」に、
「パチンコ遊技機１００」は「パチンコ機」に、それぞれ相当する。
　さらに、引用文献Ａの記載等からみて、以下のことが言える。
　
ａ．引用文献Ａには、「賞球判別ＳＷ１、賞球判別ＳＷ２及びセーフセンサ１８１」と「遊技盤制御装置４００」とを備えたユニットについての記載はないが、本願補正発明においても図８や段落【００１９】の記載から分かるように、遊技制御回路基板１ａと入賞センサ１ｂを設けた球寄せカバー１ｎが遊技盤１ｍの裏面に取り付けられ、これらを一体化する旨の記載はなく一体化することが自明ということもできないから、引用文献Ａの図５や段落【００２４】、【００２８】に記載された賞球別入賞検出器４９０とセーフセンサ１８１と遊技盤制御装置４００から成る構成、すなわち引用発明の「賞球判別ＳＷ１、賞球判別ＳＷ２及びセーフセンサ１８１と、遊技盤全体の制御を行う遊技盤制御装置４００」とからなる構成は、本願補正発明の「遊技制御ユニット」の構成と格別相違するものではない。
　さらに、引用文献Ａの段落【０１７６】の記載を参酌して認定した引用発明は、セーフセンサ１８１の検出信号も遊技盤制御装置４００に入力され、信号の送信方向を遊技盤制御装置４００から排出制御装置６００に対する一方向のみとするものであるから、上記「賞球判別ＳＷ１、賞球判別ＳＷ２及びセーフセンサ１８１と、遊技盤全体の制御を行う遊技盤制御装置４００」とからなる構成は、遊技内容を制御するマスターユニットとしての機能を有するものということができる。
　
ｂ．引用発明において、賞球判別ＳＷ１または賞球判別ＳＷ２がオンされたと判定するのは、賞球判別ＳＷ１または賞球判別ＳＷ２が１つの入賞口への１つの入賞に対する検出信号を遊技盤制御装置４００に出力するごとに行われることが、摘記した引用文献Ａの段落【００２８】、【００４９】及び図１２の記載等から明らかであるとともに、その検出信号が電気信号であることはいうまでもないことである。
　また、引用発明において、「遊技盤制御装置４００の入賞記憶手段４１１または４１２の入賞記憶をそれぞれ「１」だけ増加させ」ることは、本願補正発明の「遊技制御回路基板は１つの入賞口への１つの入賞に対する入賞センサからの１つの検出信号に対応する１つの検出結果をカウント記憶」する構成に相当するものということができる。
　したがって、引用発明は実質的に本願補正発明の「入賞センサが１つの入賞口への１つの入賞に対する電気信号を検出信号として遊技制御回路基板に出力するごとに、遊技制御回路基板は１つの入賞口への１つの入賞に対する入賞センサからの１つの検出信号に対応する１つの検出結果をカウント記憶し」に相当する処理を行っているものということができる。
　
ｃ．引用発明において「前記入賞記憶手段４１１または４１２の記憶内容に基づいて、前記遊技盤制御装置４００は賞球数データを前記排出制御装置６００に送信」することと、本願補正発明において「カウント記憶が存在すれば、遊技制御回路基板は賞球払出指示を払出制御回路基板に転送」することとは、「カウント記憶に基づいて、遊技制御回路基板は賞球払出指示を払出制御回路基板に転送」する点で共通している。
　
ｄ．引用発明は賞球数データの送信をシリアル通信用のシリアルインタフェースＳＩＦを介して行っているから、複数の賞球数データを送信する場合には、インターバル時間をおいて賞球数データを送信していることが明らかである。
　したがって、引用発明は実質的に本願補正発明の「カウント記憶が複数有る場合、遊技制御回路基板はインターバル時間をおいて賞球払出指示の転送を行」うに相当する処理を行っているものということができる。
　
ｅ．引用発明の「遊技盤制御装置４００からの排出指令信号」は本願補正発明の「遊技制御回路基板から転送された賞球払出指令」に相当し、同じく「排出指令信号に基づいて前記球排出装置１７０の排出ソレノイド７４１ａ，７４１ｂを励磁して」は「賞球払出指令に応じて払出機構部を作動し」に、また「賞品球の排出を行う」は「払出機構部が賞球としての球を払い出す」に、それぞれ相当しているから、引用発明は本願補正発明の「払出制御回路基板は遊技制御回路基板から転送された賞球払出指令に応じて払出機構部を作動し、払出機構部が賞球としての球を払い出す」に相当する構成を有しているものということができる。
　
　以上を総合すると、両者は、
「　遊技内容を制御するマスターユニットとしての遊技制御ユニットが設けられ、
遊技制御ユニットが入賞センサと遊技制御回路基板とを備え、
入賞センサが設けられ、
払出制御回路基板と払出機構部とを備え、
入賞センサが１つの入賞口への１つの入賞に対する電気信号を検出信号として遊技制御回路基板に出力するごとに、遊技制御回路基板は１つの入賞口への１つの入賞に対する入賞センサからの１つの検出信号に対応する１つの検出結果をカウント記憶し、
カウント記憶に基づいて、遊技制御回路基板は賞球払出指示を払出制御回路基板に転送し、
カウント記憶が複数有る場合、遊技制御回路基板はインターバル時間をおいて賞球払出指示の転送を行い、
払出制御回路基板は遊技制御回路基板から転送された賞球払出指令に応じて払出機構部を作動し、払出機構部が賞球としての球を払い出すパチンコ機。」
の点で一致し、以下の点で相違している。
　
［相違点１］
　本願補正発明は「遊技制御ユニットからの指示により賞球に相当する球を払い出すスレーブユニットとしての払出ユニットとが設けられ」ているのに対し、引用発明は「遊技盤制御装置４００からの排出指令信号に基づいて賞品球の排出を行なう排出制御装置６００と球排出装置１７０とを備え」てはいるものの、排出制御装置６００と球排出装置１７０とは別体でユニット化されていない点。
　
［相違点２］
　本願補正発明は「入賞センサが遊技盤に設けられた複数の全部の入賞口のそれぞれに対応して１個ずつ設けられるかまたは遊技盤に設けられた全部の入賞口を設定賞球払出数が同じである系列群に分けられた複数の入賞口毎に１個ずつ設けられるかまたは遊技盤に設けられた始動口や大入賞口のそれぞれに対応して１個ずつ設けられかつ始動口以外および大入賞口以外で遊技盤に設けられた全部の入賞口を設定賞球払出数が同じである系列群に分けられた複数の入賞口毎に１個ずつ設けられ」ているのに対し、引用発明では「賞球判別ＳＷ１は１つの入賞球に対して７個の賞品球を与える入賞口に設けられ、賞球判別ＳＷ２は１つの入賞球に対して１０個の賞品球を与える入賞口に設けられ、セーフセンサ１８１は集合樋１５９で集合された入賞球の流下経路に設けられ」ており、賞球を検出するセンサの設けられている場所が異なる点。
　
［相違点３］
　本願補正発明は「カウント記憶が存在すれば、遊技制御回路基板は賞球払出指示を払出制御回路基板に転送し」ているのに対し、引用発明は「賞球判別ＳＷ１または賞球判別ＳＷ２がオンされたと判定すると、前記遊技盤制御装置４００の入賞記憶手段４１１または４１２の入賞記憶をそれぞれ「１」だけ増加させ」、「入賞記憶手段４１１または４１２の記憶内容」が「１」以上ならば賞球数データを排出制御装置６００に送信しているだけではなく、セーフセンサ１８１の検出信号が入力され、かつ、入賞記憶手段４１１，４１２の記憶内容が「０」のときに「１５個排出」の賞球数データを排出制御装置６００に対して送信するようになっている点（特に引用文献Ａの段落【００４９】〜【００５１】及び図１２を参照）。
（当審注：引用発明は、１５個の賞品球を与える入賞口への入賞記憶は入賞記憶手段に記憶されない構成となっている。）
　
（５）判断
［相違点１について］
　原査定の拒絶の理由に引用された特開平７−３２８２０６号公報（以下「引用文献Ｂ」という。）には、図２、【請求項１】及び段落【００１０】等の記載からみて、制御回路部（本願補正発明の「払出制御回路基板」に相当）とパチンコ玉を所定個数ずつパチンコ玉払出通路へ導く機能部分（本願補正発明の「払出機構部」に相当）を同一の本体ケースに設けてユニット化したパチンコ玉排出ユニットが記載されている。
　そして、引用発明及び引用文献Ｂ記載のパチンコ玉排出ユニットともにパチンコ機の分野に属するものであるから、引用発明に引用文献Ｂに記載された技術を適用し、引用発明の排出制御装置６００と球排出装置１７０をユニット化して相違点１に係る本願補正発明の構成とすることは、パチンコ機の分野における通常の知識を有する者（以下「当業者」という。）が容易に想到し得る事項である。
　
［相違点２、３について］
　パチンコ機の分野において、入賞センサを遊技盤に設けられた全部の入賞口を設定賞球払出数が同じである系列群に分けられた複数の入賞口毎に１個ずつ設け、各入賞センサが検出した入賞球数をカウント記憶し、カウント記憶が存在すれば賞球払出を行うことは、例えば、原査定の拒絶の理由で周知例として提示された特開平８−３２３００５号公報（特に段落【００６６】〜【００７６】、図１６及び図１８〜２１）及び特開平９−１４９９６９号公報（特に【００２０】）に記載されるように、従来周知の技術（以下「周知技術１」という。）である。
　また、同じくパチンコ機の分野において、入賞センサを遊技盤に設けられた全部の入賞口のそれぞれに対応して１個ずつ設けることも、例えば、特開平５−３３７２３８号公報（特に段落【００４７】）及び特開平９−５６９０１号公報（特に【００３１】）に記載されるように、従来周知の技術（以下「周知技術２」という。）である。
　したがって、引用発明に周知技術１または２を適用し、全ての入賞口について重複検出がないよう個別に、あるいは適宜の系列群毎に入賞センサを設けるとともに、各入賞センサの出力を入賞記憶としてカウントさせ、いずれかの入賞記憶が「１」以上ならば賞球数データを排出制御装置６００に送信するようにして、相違点２及び３に係る本願補正発明の構成とすることは、当業者が容易に想到し得る事項である。
　
　そして、本願補正発明の作用効果も、引用発明、引用文献Ｂに記載された技術及び周知技術１、２から当業者が予測できる範囲のものである。
　よって、本願補正発明は、引用発明、引用文献Ｂに記載された技術及び周知技術１、２に基づいて、当業者が容易に発明をすることができたものであるから、特許法第２９条第２項の規定により特許出願の際独立して特許を受けることができないものである。
　
（６）むすび
　以上のとおり、本件補正は、上記改正前の特許法第１７条の２第５項において準用する同法第１２６条第５項の規定に違反するので、同法第１５９条第１項において読み替えて準用する同法第５３条第１項の規定により却下されるべきものである。
　
３．本願発明について
（１）平成１７年８月８日付けの手続補正における特許請求の範囲の記載
　平成１８年８月４日付けの手続補正は上記のとおり却下され、平成１７年１２月２６日付けの手続補正は平成１８年６月２日付けで却下の決定がなされているので、本願の請求項１に係る発明（以下「本願発明」という。）は、平成１７年８月８日付けの手続補正書によって補正された明細書の特許請求の範囲の請求項１に記載された事項により特定される、以下のとおりのものである。
「　遊技内容を制御するマスターユニットとしての遊技制御ユニットと、遊技制御ユニットからの指示により賞球に相当する球を払い出すスレーブユニットとしての払出ユニットとが設けられ、遊技制御ユニットが入賞センサと遊技制御回路基板とを備え、払出ユニットが払出制御回路基板と払出機構部とを備え、入賞センサが遊技盤に設けられた入賞口に入賞した入賞球を検出した電気信号を検出信号として遊技制御回路基板に出力し、遊技制御回路基板は入賞センサからの検出信号を受けた検出結果をカウント記憶し、カウント記憶が存在すれば、遊技制御回路基板は賞球払出指示を払出制御回路基板に転送し、カウント記憶が複数有る場合、遊技制御回路基板はインターバル時間をおいて賞球払出指示の転送を行い、払出制御回路基板は遊技制御回路基板から転送された賞球払出指令に応じて払出機構部を作動し、払出機構部が賞球としての球を払い出すことを特徴とするパチンコ機。」
　
（２）引用文献
　原査定の拒絶の理由に引用された引用文献Ａ及びその記載事項は、上記「２．（３）」に記載したとおりである。
　
（３）対比・判断
　本願発明は、上記「２．（１）」及び「２．（２）」で検討した本願補正発明から、「入賞センサ」についての限定事項である
「遊技盤に設けられた複数の全部の入賞口のそれぞれに対応して１個ずつ設けられるかまたは遊技盤に設けられた全部の入賞口を設定賞球払出数が同じである系列群に分けられた複数の入賞口毎に１個ずつ設けられるかまたは遊技盤に設けられた始動口や大入賞口のそれぞれに対応して１個ずつ設けられかつ始動口以外および大入賞口以外で遊技盤に設けられた全部の入賞口を設定賞球払出数が同じである系列群に分けられた複数の入賞口毎に１個ずつ設けられ」るという限定を省き、
　「１つの入賞口への１つの入賞に対する電気信号」を「入賞口に入賞した入賞球を検出した電気信号」と拡張し、
　「出力するごとに」を「出力し」と拡張し、
「１つの入賞口への１つの入賞に対する入賞センサからの１つの検出信号に対応する１つの検出結果」を「入賞センサからの検出信号を受けた検出結果」と拡張するものである。
　そして、本願発明の構成要件を全て含み、「入賞センサ」等の構成を限定したものに相当する本願補正発明が、上記「２．（５）」に記載したとおり、引用発明、引用文献Ｂに記載された技術及び周知技術１、２に基づいて当業者が容易に発明をすることができたものであるから、本願発明は、同様の理由により、引用発明、引用文献Ｂに記載された技術及び周知技術１、２に基づいて当業者が容易に発明をすることができたものである。
　
（４）むすび
　以上のとおり、本願発明は、引用発明、引用文献Ｂに記載された技術及び周知技術１、２に基づいて、当業者が容易に発明をすることができたものであるから、特許法第２９条第２項の規定により特許を受けることができない。
　そして、請求項２〜４に係る発明については検討するまでもなく、本願は拒絶すべきものである。
　よって、結論のとおり審決する。